(57)【特許請求の範囲】
【請求項１】
人を輸送するための輸送装置において、少なくとも１の固体伝播音伝達部位（１０４）であって、人が触れると前記人の身体を介して固体伝播音として伝達され前記人に聞こえる振動を発生させる固体伝播音変換器（１０６）によって、直接的または間接的に作動される、固体伝播音伝達部位（１０４）を有し、
前記輸送装置が、動く手摺りを有するエスカレータまたは動く歩道の形態でデザインされており、前記動く手摺りが、前記固体伝播音伝達部位と、固体伝播音を伝達しない部位とを有することを特徴とする輸送装置。
【請求項２】
請求項１に記載の輸送装置において、前記少なくとも１つの固体伝播音伝達部位が、エスカレーターまたは動く歩道の動く手摺り（１０２）の中または上に形成されることを特徴とする輸送装置。
【請求項３】
請求項１または２に記載の輸送装置において、前記少なくとも１つの固体伝播音変換器が、手摺りガイド（２０２）に固定されていることを特徴とする輸送装置。
【請求項４】
請求項３に記載の輸送装置において、前記少なくとも１つの固体伝播音変換器（１０６）が、エスカレーターまたは動く歩道の動く手摺り（１０２）中に統合されていることを特徴とする輸送装置。
【請求項５】
請求項３に記載の輸送装置において、前記動く手摺り（１０２）と前記固体伝播音変換器（１０６）の間に、中間部品（２０４）が形成されていることを特徴とする輸送装置。
【請求項６】
請求項１乃至５の何れかに記載の輸送装置において、前記固体伝播音伝達部位と、前記固体伝播音を伝達しない部位が、適切な印付けにより互いに判別可能であることを特徴とする輸送装置。
【請求項７】
請求項１乃至６の何れかに記載の輸送装置において、前記固体伝播音伝達部位が、輸送される人とともに移動することを特徴とする輸送装置。
【請求項８】
請求項１乃至４、６、７の何れかに記載の輸送装置において、前記固体伝播音変換器が、前記動く手摺りとともに移動することを特徴とする輸送装置。
【請求項９】
請求項１乃至８の何れかに記載の輸送装置において、前記輸送装置が、前記固体伝播音を利用することで、輸送される人に、選択的に情報またはエンターテインメントを提供することを特徴とする輸送装置。
【発明の詳細な説明】
【技術分野】
【０００１】
本発明は、請求項１の前段に記載の人を輸送するための輸送装置に関する。
【背景技術】
【０００２】
従来技術は、例えばエスカレーター、動く歩道、エレベーターシステムなど、多くの種類の人を輸送するための輸送装置の例を開示している。
【０００３】
従来の輸送装置には、輸送される人への情報の提供が困難であり、輸送手段の利用者は多くの場合輸送されている時間を他に使えないという欠点があった。
【０００４】
例えば移動中のエスカレーター利用者に視覚的情報を提供することは、例えば使用される光学媒体（スクリーン）は多くの場合静的であるのに対し、輸送されている人は動いているから、特に不便であると考えられてきた。このような輸送装置では、アナウンスにより音響情報を提供することや、バックグラウンドミュージックを再生することも、その利用者が不必要または迷惑な情報の流れに晒されることとなるので、困難であった。
【０００５】
したがって輸送される人に、選択的に情報やエンターテインメントを提供することができる輸送装置を提供することが望まれる。
【０００６】
この従来技術から進展して、本発明は請求項１に記載の特徴を有する輸送装置を提案する。より有利な形状は従属項および以降に記載されている。
【発明の概要】
【０００７】
固体伝播音伝達部位を有する輸送装置をデザインするという本発明に係る解決策は、輸送装置の利用者に対し、選択的に情報を提供することを簡単に実現させる。本発明のように固体伝播音を利用することで、輸送されている人は自ら、例えばある特定の情報などを聞き取りたいか否かを、決めることができる。これにより輸送される人々に晒される、一人にのみ、または特定の人にのみに関心がある音の情報は、最小化することもできるが、輸送装置により輸送される人々のすべて、もしくは輸送装置の付近にいる人にも受け取られることもできる。
【０００８】
ユーザーにとっては、本発明に係る輸送装置を使おうとする動機になりうる。
【０００９】
本発明に係る輸送装置は、特におよそ１０００ｍまでの短い距離で、人を輸送するための手段として理解される。特に、輸送装置はエスカレーター、動く歩道、エレベーターシステムの形態でデザインされてもよい。しかし前述の文言は搭乗橋、例えば飛行場のターミナルビルと、停められた旅客機の少なくとも１つのキャビンのドアをつなぐメカニズムである、ジェット搭乗橋なども含むべきである。このような搭乗橋は、特にエスカレーターや動く歩道も設けてデザインされてもよい。しかし搭乗橋という言葉は、たとえばクルーズ船などの船に乗るための橋も含むべきである。輸送装置という言葉に含まれないのは、明確には自動車や電車などの、より長い距離での輸送手段である。
【００１０】
本発明に係る輸送装置は、輸送される人が触れると振動は音として認識できる振動を発生させるのに適した固体伝播音伝達部位を有する。固体伝播音変換器と呼ばれるものが前記振動を発生させるために用いられる。固体伝播音伝達部位は固定されていてもよいし、例えば動く手摺りと伴に可動であってもよい。
【００１１】
これらの振動は、例えば固体伝播音伝達部位上に置かれた利用者の手から、骨を通じて内耳へと伝達される。このような音の伝搬は固体伝搬音伝達と呼ばれる。
【００１２】
内耳では、耳小骨の振動が処理され、電気信号の形態で、音や音色としてそれを知覚する脳の聴覚中枢へと伝達される。この音は他の乗客によっては知覚されない。
【００１３】
本発明がエスカレーターまたは動く歩道の形態をとる場合、情報を発信するための手段、つまり固体伝播音変換器と固体伝播音伝達部位が、輸送されている人と一緒に移動できるため、特に有利である。
【００１４】
前記少なくとも１つの固体伝播音伝達部位は好適に、輸送装置の手持ち器具内または器具上に形成される。手持ち器具は、例えばエスカレーターや動く歩道での動く手摺りや、エレベーターシステムの手摺りであってもよい。
【００１５】
好適には、手持ち器具の特定の領域は固体伝播音伝達部位の形態をとり、他の領域はそうでない形態をとるようにデザインされる。ここで、固体伝播音伝達部位には、例えば色や手触りの手段を使って印を付けることが望ましい。このような印により、輸送される人が自ら固体伝播音伝達部位を触れるかどうか決めることができる。
【００１６】
ここで特に固体伝播音伝達部位は、エスカレーターや動く歩道の動く手摺りの中、または上に形成されることが望ましい。例えば、固体伝播音変換器が動く手摺りの上、中、または下に固定され、これと伴に動くようにしてもよい。
【００１７】
好ましい形態では、固体伝播音変換器と動く手摺りの間に中間部品を設けて、固体伝播音変換器がこの中間部品を介して動く手摺りへと振動を伝達してもよい。このような中間部品は、例えば適切な形状をした金属板で製造してもよく、動く手摺りに特に単純に取り付けることができる。固体伝播音変換器をこのような中間部品に取り付けることも単純な操作である。
【００１８】
さらなる形態では、手摺りや動く手摺りがその上をスライドする手摺りガイドが導入される。固体伝播音変換器はこの手摺りガイド上に静的に固定されてもよい。この形態の利点は、固体伝播音変換器が伴に搬送されなくてもよいという点である。手摺りの上側への振動の伝達は、ここでも、手摺り内に導入された上述の中間部品により行われる。
【００１９】
エレベーターのかごの場合を例えに、前記少なくとも１つの固体伝播音伝達部位をエレベーターのかごの壁に形成することも可能である。例えば、エレベーターのかごの１以上の壁はパネルで設計され、それぞれのパネルの後ろに固体伝播音変換器が形成されることが考えられる。このような形態では、これらのパネルがしたがって固体伝播音伝達部位を構成する。このような形態では、これらのパネルは頭の高さで設置されてもよく、これにより振動は、頭蓋骨を通じて、耳小骨に直接伝達されることができる。
【００２０】
本発明の更なる利点と形態は、下記の説明とこれに伴う図面により理解される。
【００２１】
当然、上述の特徴と、以下に説明される特徴は、本発明の範囲から逸脱することなく、それぞれに記載されている組み合わせ通りだけでなく、異なる組み合わせ、または単独でも、利用することができる。
【００２２】
本発明は図面に、典型的な実施例により概略的に表されており、以下に図面を参照しながら詳細に説明される。
【図面の簡単な説明】
【００２３】
【図１】図１は本発明に係る輸送装置の好適な実施例を概略的で、一部断面的に示す図である。
【図２】図２は本発明により利用できる動く手摺りのさらなる好適な実施例を概略的に示す断面図である。
【発明を実施するための形態】
【００２４】
図１および図２で、同様のまたは類似する部品には、同じ参照番号が付されている。
【００２５】
図１には、本発明に係る輸送装置の特に望ましい実施例が概略的に示されている。ここにデザインされている輸送装置は動く歩道の形態であり、全体を１００で示されている。動く歩道は輸送される人１０８が立つベルトコンベヤ１１０と、動く手摺り１０２、１０２’がそれぞれに形成された、２つの側壁または欄干１０１、１０１’とを有する。
【００２６】
動く手摺り１０２、１０２’の速さは通常運用時、つまり人が輸送されるとき、ベルトコンベヤ１１０の速さに合わせられる。
【００２７】
固体伝播音変換器１０６は、それぞれの動く手摺り１０２、１０２’の下側に、一定の間隔で形成され、動く手摺り１０２、１０２’と伴に移動する。図１において、それぞれの動く手摺りには、１つの固体伝播音変換器のみが描かれている。例えば、各固体伝播音変換器は、例えば５０ｃｍ、１００ｃｍ、または２００ｃｍの間隔で、動く手摺り１０２、１０２’の中または上に形成されてもよい。
【００２８】
固体伝播音変換器１０６は、それぞれの動く手摺り１０２、１０２’を通じて、動く手摺り１０２、１０２’に、手や他の適切な体の部位で触れている輸送装置使用者１０８に対し、固体伝播音として伝達される振動数の振動を生成する。動く手摺り１０２、１０２’のうち固体伝播音変換器が形成されている部分はしたがって、固体伝播音伝達部位１０４を構成する。これらの振動は図１に象徴的に、固体伝播音変換器１０６と動く手摺り１０２、１０２’の間の曲線として図示されている。
【００２９】
輸送される人１０８は例えば手や肘を使って、動く手摺り１０２の固体伝播音伝達部位１０４に触れる。この接触により、固体伝播音変換器１０６により生成された振動が固体伝播音として、その人の体を介して、特にその人の骨や骨格を介して、固体伝播音を音や音色として知覚する耳（内耳）へと伝達される。
【００３０】
動く手摺り１０２、１０２’のそれぞれの固体伝播音伝達部位は、便宜なことに、輸送装置利用者が判別できるように印をつけられる。例えば、固体伝播音伝達部位は、例えば動く手摺りにリブをつけるなど、色や手触りの手段を用いて認識されるようにしてもよい。したがって、それぞれの固体伝播音伝達部位の間に、固体伝播音変換器が設置されていない部位を設けてもよく、この部位では固体伝播音伝達が起こらない。したがって輸送装置利用者は、固体伝播音伝達機能を利用するか否かを選択することができる。
【００３１】
図２は、第２の実施例に係る、動く歩道の一部の詳細な断面図である。動く手摺り１０２と側壁１０１は明記されている。この例示的な実施例では、固体伝播音変換器１０６は、動く手摺り１０２に直接接続されるのではなく、手摺りガイド２０２と中間部品２０４を介在して接続されている。固体伝播音変換器と手摺りガイド２０２は、このデザインでは固定されており、したがって動く手摺り１０２と伴には動かない。手摺りガイド２０２は、中間部品２０４がスライドするＷ型の形状で形成される。ここで、中間部品２０４は動く手摺り１０２と伴に動く。固定された固体伝播音変換器１０６の振動は、手摺りガイド２０２と中間部品２０４から動く手摺り１０２の上側へと伝達される。固体伝播音変換器１０６は、手摺りガイド２０２に直接、例えばＷ型形状の適切な位置に固定され、これを振動させてもよい。図２に含まれているように、接続部１０７は固体伝播音変換器１０６がより効果を発揮できるように描かれているだけである。手摺りガイドと中間部品は好適には、例えば適した金属材料など、よい固体伝播音伝導性を有する材料から製造される。
【００３２】
さらなる形態では、中間部品により、固体伝播音変換器１０６が直接動く手摺り１０２に固定されている場合と比較して、固体伝播音変換器１０６から動く手摺り１０２のより広い範囲へと振動を伝達することも可能である。これは中間部品２０２により、固体伝播音伝達部位を所望の形状および／または範囲で形成することで実現できる。
【００３３】
中間部品は、動く歩道の端や曲がった部分で、そこに存在する動く手摺りの湾曲に適合する程度にしなやかでなければならない。これは中間部品を形成する金属材料（例えば金属板）を適度に薄くおよび／または狭く形成することで実現できる。
【００３４】
この好適な実施例によると、例えば固体伝播音変換器１０６は動く手摺り１０２の範囲と必ずしも合わせる必要がないため、既存の輸送装置に容易に固体伝播音変換器を追加導入することができ、費用効果があり、さまざまな調整オプションがある。
【００３５】
固体伝播音伝達部位は、ミクロ構造やナノ構造の表面を有し、自浄作用を可能にしてもよい。これにより固体伝播音伝達部位が常に清潔に保たれ、輸送装置を利用する人が固体伝播音伝達部位に触れてみようという気を起こさせる。
【符号の説明】
【００３６】
１００  本発明に係る動く歩道
１０１  側壁、左側
１０１’側壁、右側
１０２  動く手摺り
１０２’動く手摺り
１０６  固体伝播音変換器、左側
１０６’固体伝播音変換器、右側
１０７  接続部
１０８  輸送される人
１１０  ベルトコンベヤ
２０２  手摺りガイド
２０４  中間部品
【図１】
0006467430.tif 000002
【図２】
0006467430.tif 000003